(57)【特許請求の範囲】
【請求項１】
第１の移動架台と、前記第１の移動架台に支持されたセントル型枠と、前記セントル型枠の後部に設けられた第１のシートとを有するセントル台車を用い、
トンネルの長軸方向における区間ｎに配置された前記セントル台車の前記セントル型枠を型枠位置にセットして前記区間ｎでトンネルの覆工コンクリートを打設する工程（ａ）と、
前記型枠位置にセットされた前記セントル型枠を用いて前記区間ｎの覆工コンクリートを養生する工程（ｂ）と、
前記区間ｎの前方の区間ｎ＋１に前記セントル台車を移動する工程（ｃ）と、
を具備し、
前記工程（ｃ）では、前記第１のシート、前記区間ｎの前端部またはその前方で前記トンネルの内空をトンネル内周面と前記セントル型枠との間で隔てる第２のシート、前記セントル型枠を少なくとも用いて前記区間ｎの覆工コンクリートの表面を囲んで前記区間ｎの覆工コンクリートを養生することを特徴とする覆工コンクリートの養生方法。
【請求項２】
前記セントル型枠の外側に設けられた型枠板より内側に断熱層が形成されることを特徴とする請求項１記載の覆工コンクリートの養生方法。
【請求項３】
第２の移動架台と、前記第２の移動架台に支持された養生パネルと、前記養生パネルの後部に設けられた第３のシートとを有する養生台車を更に用い、
前記工程（ｃ）の後に、前記区間ｎの後方の区間ｎ−１から前記区間ｎに前記養生台車を移動する工程（ｄ）と、
前記区間ｎに配置された前記養生台車の前記養生パネルを養生位置にセットして前記区間ｎの覆工コンクリートを養生する工程（ｅ）と、
を更に含み、
前記工程（ｄ）では、前記第１のシート、前記第３のシート、前記養生パネルを少なくとも用いて前記区間ｎの覆工コンクリートの表面を囲んで前記区間ｎの覆工コンクリートを養生することを特徴とする請求項１または請求項２記載の覆工コンクリートの養生方法。
【請求項４】
前記第１のシートを支持し、前記トンネルの長軸方向に伸縮するシート台車を更に用い、
前記工程（ｃ）で、前記シート台車を伸展することを特徴とする請求項１から請求項３のいずれかに記載の覆工コンクリートの養生方法。
【請求項５】
第１の移動架台と、
前記第１の移動架台に支持されたセントル型枠と、
前記セントル型枠の後部に設けられた第１のシートと、
を有するセントル台車であって、
前記セントル型枠を型枠位置にセットしトンネルの長軸方向における区間ｎで打設したトンネルの覆工コンクリートの養生を前記型枠位置にセットされたセントル型枠を用いて行うとともに、前記セントル台車が前記区間ｎの前方の区間ｎ＋１に移動する際、前記区間ｎの覆工コンクリートの養生を、前記第１のシート、前記区間ｎの前端部またはその前方で前記トンネルの内空をトンネル内周面と前記セントル型枠との間で隔てる第２のシート、前記セントル型枠を少なくとも用いて前記区間ｎの覆工コンクリートの表面を囲んで行なうことを特徴とするセントル台車。
【請求項６】
前記セントル型枠の外側に設けられた型枠板より内側に断熱層が形成されることを特徴とする請求項５記載のセントル台車。
【請求項７】
第１の移動架台と、前記第１の移動架台に支持されたセントル型枠と、前記セントル型枠の後部に設けられた第１のシートと、を有するセントル台車と、
第２の移動架台と、前記第２の移動架台に支持された養生パネルと、前記養生パネルの後部に設けられた第３のシートと、を有する養生台車と、
を含む養生システムであって、
前記セントル型枠を型枠位置にセットしトンネルの長軸方向における区間ｎで打設したトンネルの覆工コンクリートの養生を前記型枠位置にセットされたセントル型枠を用いて行うとともに、前記セントル台車が前記区間ｎの前方の区間ｎ＋１に移動する際、前記区間ｎの覆工コンクリートの養生を、前記第１のシート、前記区間ｎの前端部またはその前方で前記トンネルの内空をトンネル内周面と前記セントル型枠との間で隔てる第２のシート、前記セントル型枠を少なくとも用いて前記区間ｎの覆工コンクリートの表面を囲んで行ない、
前記セントル台車が前記区間ｎ＋１に移動した後、前記区間ｎの覆工コンクリートの養生を、前記区間ｎの後方の区間ｎ−１から前記区間ｎに移動して前記区間ｎに配置された前記養生台車の前記養生パネルを養生位置にセットして行うとともに、前記区間ｎ−１から前記区間ｎに前記養生台車が移動する際、前記区間ｎの覆工コンクリートの養生を、前記第１のシート、前記第３のシート、前記養生パネルを少なくとも用いて前記区間ｎの覆工コンクリートの表面を囲んで行なうことを特徴とする養生システム。
【請求項８】
前記セントル型枠の外側に設けられた型枠板より内側に断熱層が形成されることを特徴とする請求項７記載の養生システム。
【請求項９】
前記第１のシートを支持し、前記トンネルの長軸方向に伸縮するシート台車を更に含み、
前記セントル台車が前記区間ｎの前方の区間ｎ＋１に移動する際、前記シート台車を伸展することを特徴とする請求項７または請求項８に記載の養生システム。
【発明の詳細な説明】
【技術分野】
【０００１】
本発明は、覆工コンクリートの養生方法、セントル台車および養生システムに関するものである。
【背景技術】
【０００２】
トンネルを構築する際には、地山の掘削後、内周面に吹付けコンクリートを施工し、型枠を設けて吹付けコンクリートの表面に覆工コンクリートを打設する。その後、覆工コンクリートの養生を行う。
【０００３】
覆工コンクリートの養生としては、例えば、セントル台車等による移動式型枠を用いてコンクリートの打設を行った後、移動式型枠に後続する養生装置を用いて養生する場合（例えば、特許文献１参照）や、セントル台車に設けた型枠を用いて、コンクリートの打設および養生を行なう場合（例えば、特許文献２参照）がある。
【先行技術文献】
【特許文献】
【０００４】
【特許文献１】特開２００７−２３１５１７号公報
【特許文献２】特開２００７−１６９９８２号公報
【発明の概要】
【発明が解決しようとする課題】
【０００５】
しかしながら、移動式型枠に後続する養生装置により養生を行なう場合、打設し型枠を取り外した直後の覆工コンクリート表面が温度の低いトンネル内の外気に触れることになり、コンクリート表面温度が急速に低下し、ひび割れが発生する可能性がある。コンクリートの養生は、その表面温度を高く保ち、かつ温度変化を緩やかなものとすることで促進され、ひび割れを確実に防止し養生後のコンクリートが高品質なものとなる。
一方で、コンクリートの打設に用いた移動式型枠を用いて養生を行う場合、十分な期間、養生区間にセントル台車を存置する必要があるため、工期が長くなる問題点があった。
【０００６】
本発明は、前述した問題点に鑑みてなされたもので、その目的は、工期を短縮でき、ひび割れの発生を防止できる覆工コンクリートの養生方法等を提供することである。
【課題を解決するための手段】
【０００７】
前述した目的を達成するために、第１の発明は、第１の移動架台と、前記第１の移動架台に支持されたセントル型枠と、前記セントル型枠の後部に設けられた第１のシートとを有するセントル台車を用い、トンネルの長軸方向における区間ｎに配置された前記セントル台車の前記セントル型枠を型枠位置にセットして前記区間ｎでトンネルの覆工コンクリートを打設する工程（ａ）と、前記型枠位置にセットされた前記セントル型枠を用いて前記区間ｎの覆工コンクリートを養生する工程（ｂ）と、前記区間ｎの前方の区間ｎ＋１に前記セントル台車を移動する工程（ｃ）と、を具備し、前記工程（ｃ）では、前記第１のシート、前記区間ｎの前端部またはその前方で前記トンネルの内空をトンネル内周面と前記セントル型枠との間で隔てる第２のシート、前記セントル型枠を少なくとも用いて前記区間ｎの覆工コンクリートの表面を囲んで前記区間ｎの覆工コンクリートを養生することを特徴とする覆工コンクリートの養生方法である。
【０００８】
前記セントル型枠の外側に設けられた型枠板より内側には、断熱層が形成されることが望ましい。断熱層は、例えば、エアキャップ、発泡ウレタン材等の断熱材を用いて形成される。
【０００９】
第１の発明では、必要に応じて、第２の移動架台と、前記第２の移動架台に支持された養生パネルと、前記養生パネルの後部に設けられた第３のシートとを有する養生台車が更に用いられる。この場合、前記工程（ｃ）の後に、前記区間ｎの後方の区間ｎ−１から前記区間ｎに前記養生台車を移動する工程（ｄ）と、前記区間ｎに配置された前記養生台車の前記養生パネルを養生位置にセットして前記区間ｎの覆工コンクリートを養生する工程（ｅ）と、を更に含み、前記工程（ｄ）では、前記第１のシート、前記第３のシート、前記養生パネルを少なくとも用いて前記区間ｎの覆工コンクリートの表面を囲んで前記区間ｎの覆工コンクリートを養生する。
【００１０】
第１の発明では、必要に応じて、前記第１のシートを支持し、前記トンネルの長軸方向に伸縮するシート台車が更に用いられる。この場合、前記工程（ｃ）で、前記シート台車を伸展する。
【００１１】
第１の発明では、覆工コンクリートの養生初期では打設に用いたセントル型枠を用いて養生を行なうとともに、区間ｎから前方の区間ｎ＋１にセントル台車を移動する際、少なくとも、セントル型枠の後部に設けられた第１のシート、区間ｎの前端部またはその前方でトンネルの内空をトンネル内周面とセントル型枠との間で隔てる第２のシート、および脱型したセントル型枠により区間ｎの覆工コンクリートの表面を囲んで、区間ｎの覆工コンクリートの養生状態を維持する。セントル台車の移動中にも、第１のシート等を用いて覆工コンクリートを囲んでトンネル内の空気と隔離するので、低い温度の外気に触れることがなく、養生状態が維持される。従って、区間ｎにおけるセントル台車の存置期間を短縮し、工期を短縮することができる。また、セントル型枠には断熱層を設けることにより、養生中のコンクリートの表面温度を高く保つとともにその温度変化が小さくなり、より確実にひび割れの発生が防止され、コンクリートの品質をより高めることができる。また、セントル台車の移動後、セントル台車に後続する養生台車の養生パネルにより区間ｎの覆工コンクリートの養生を行なうことで、セントル台車を用いて区間ｎ＋１での覆工コンクリートの打設等を行なう間にも区間ｎの覆工コンクリートの養生を行なうことができるので、確実な養生を可能としつつ工期が短縮される。養生台車の移動時には、区間ｎの覆工コンクリートは、少なくとも、第１のシート、養生パネルの後方に設けられた第３のシート、養生パネルにより表面を囲んで養生状態が維持される。また、上記のシート台車を用いることで、セントル台車、または養生台車の移動時のシートの伸縮がスムーズになる。
【００１２】
第２の発明は、第１の移動架台と、前記第１の移動架台に支持されたセントル型枠と、前記セントル型枠の後部に設けられた第１のシートと、を有するセントル台車であって、前記セントル型枠を型枠位置にセットしトンネルの長軸方向における区間ｎで打設したトンネルの覆工コンクリートの養生を前記型枠位置にセットされたセントル型枠を用いて行うとともに、前記セントル台車が前記区間ｎの前方の区間ｎ＋１に移動する際、前記区間ｎの覆工コンクリートの養生を、前記第１のシート、前記区間ｎの前端部またはその前方で前記トンネルの内空をトンネル内周面と前記セントル型枠との間で隔てる第２のシート、前記セントル型枠を少なくとも用いて前記区間ｎの覆工コンクリートの表面を囲んで行なうことを特徴とするセントル台車である。
【００１３】
前記セントル型枠の外側に設けられた型枠板より内側には、断熱層が形成されることが望ましい。
【００１４】
第２の発明のセントル台車を用いれば、覆工コンクリートの養生初期では打設に用いたセントル型枠を用いて養生を行なうとともに、区間ｎから前方の区間ｎ＋１にセントル台車を移動する際、少なくとも、セントル型枠の後部に設けられた第１のシート、区間ｎの前端部またはその前方でトンネルの内空をトンネル内周面とセントル型枠との間で隔てる第２のシート、および脱型したセントル型枠により区間ｎの覆工コンクリートの表面を囲んで、区間ｎの覆工コンクリートの養生状態を維持する。セントル台車の移動中にも、第１のシート等を用いて覆工コンクリートを囲んでトンネル内の空気と隔離するので、低い温度の外気に触れることがなく、養生状態が維持される。従って、区間ｎにおけるセントル台車の存置期間を短縮し、工期を短縮することができる。また、セントル型枠には断熱層を設けることにより、養生中のコンクリートの表面温度を高く保つとともにその温度変化が小さくなり、より確実にひび割れの発生が防止され、コンクリートの品質をより高めることができる。
【００１５】
第３の発明は、第１の移動架台と、前記第１の移動架台に支持されたセントル型枠と、前記セントル型枠の後部に設けられた第１のシートと、を有するセントル台車と、第２の移動架台と、前記第２の移動架台に支持された養生パネルと、前記養生パネルの後部に設けられた第３のシートと、を有する養生台車と、を含む養生システムであって、前記セントル型枠を型枠位置にセットしトンネルの長軸方向における区間ｎで打設したトンネルの覆工コンクリートの養生を前記型枠位置にセットされたセントル型枠を用いて行うとともに、前記セントル台車が前記区間ｎの前方の区間ｎ＋１に移動する際、前記区間ｎの覆工コンクリートの養生を、前記第１のシート、前記区間ｎの前端部またはその前方で前記トンネルの内空をトンネル内周面と前記セントル型枠との間で隔てる第２のシート、前記セントル型枠を少なくとも用いて前記区間ｎの覆工コンクリートの表面を囲んで行ない、前記セントル台車が前記区間ｎ＋１に移動した後、前記区間ｎの覆工コンクリートの養生を、前記区間ｎの後方の区間ｎ−１から前記区間ｎに移動して前記区間ｎに配置された前記養生台車の前記養生パネルを養生位置にセットして行うとともに、前記区間ｎ−１から前記区間ｎに前記養生台車が移動する際、前記区間ｎの覆工コンクリートの養生を、前記第１のシート、前記第３のシート、前記養生パネルを少なくとも用いて前記区間ｎの覆工コンクリートの表面を囲んで行なうことを特徴とする養生システムである。
【００１６】
前記セントル型枠の外側に設けられた型枠板より内側には、断熱層が形成されることが望ましい。
【００１７】
第３の発明の養生システムは、必要に応じて、前記第１のシートを支持し、前記トンネルの長軸方向に伸縮するシート台車を更に含む。この場合、前記セントル台車が前記区間ｎの前方の区間ｎ＋１に移動する際、前記シート台車を伸展する。
【００１８】
第３の発明の養生システムを用いれば、覆工コンクリートの養生初期では打設に用いたセントル型枠を用いて養生を行なうとともに、区間ｎから前方の区間ｎ＋１にセントル台車を移動する際、少なくとも、セントル型枠の後部に設けられた第１のシート、区間ｎの前端部またはその前方でトンネルの内空をトンネル内周面とセントル型枠との間で隔てる第２のシート、および脱型したセントル型枠により区間ｎの覆工コンクリートの表面を囲んで、区間ｎの覆工コンクリートの養生状態を維持する。セントル台車の移動中にも、第１のシート等を用いて覆工コンクリートを囲んでトンネル内の空気と隔離するので、低い温度の外気に触れることがなく、養生状態が維持される。また、セントル台車の移動後、セントル台車に後続する養生台車の養生パネルにより区間ｎの覆工コンクリートの養生を行なうことで、セントル台車を用いて区間ｎ＋１での覆工コンクリートの打設等を行なう間にも区間ｎの覆工コンクリートの養生を行なうことができるので、確実な養生を可能としつつ工期が短縮される。養生台車の移動時には、区間ｎの覆工コンクリートは、少なくとも、第１のシート、養生パネルの後方に設けられた第３のシート、養生パネルにより表面を囲んで養生状態が維持される。また、セントル型枠に断熱層を設けることにより、養生中のコンクリートの表面温度を高く保つとともにその温度変化が小さくなり、より確実にひび割れの発生が防止され、コンクリートの品質をより高めることができる。また、上記のシート台車を用いることで、セントル台車、または養生台車の移動時のシートの伸縮がスムーズになる。
【発明の効果】
【００１９】
本発明によれば、工期を短縮でき、ひび割れの発生を防止できる覆工コンクリートの養生方法、セントル台車および養生システムを提供できる。
【図面の簡単な説明】
【００２０】
【図１】養生システム２の概要を示す図
【図２】覆工コンクリート７ｎを打設する工程を示す図
【図３】セントル型枠１５により覆工コンクリート７ｎを養生する工程を示す図
【図４】セントル型枠１５を脱型する工程を示す図
【図５】セントル台車１１を移動する工程を示す図
【図６】養生パネル２７を脱型する工程を示す図
【図７】断熱養生台車２３を移動する工程を示す図
【図８】養生パネル２７により覆工コンクリート７ｎを養生する工程を示す図
【図９】セントル型枠１５の例を示す図
【図１０】覆工コンクリートの養生開始後の経過時間と温度およびひび割れ指数との関係を示す図
【図１１】養生システム７７の概要を示す図
【図１２】シート台車６９を伸展させつつ、セントル台車１１ａを区間ｎ＋１に移動する工程を示す図
【図１３】断熱養生台車２３を区間ｎに移動する工程を示す図
【発明を実施するための形態】
【００２１】
以下、図面に基づいて、本発明の第１の実施の形態について詳細に説明する。図１は、養生システム２の概要を示す図である。図１の（ａ）図は、養生システム２のトンネル長軸方向の断面図、図１の（ｂ）図は、養生システム２のトンネル周方向の断面図である。図１の（ａ）図は、図１の（ｂ）図に示す矢印Ｂ−Ｂによる断面図である。図１の（ｂ）図は、図１の（ａ）図に示す矢印Ａ−Ａによる断面図である。
【００２２】
図１に示すように、養生システム２は、セントル台車１１、断熱養生台車２３を含む。セントル台車１１、断熱養生台車２３は、トンネル３の内空に設置され、トンネル３のインバートコンクリート９上を走行する。
【００２３】
セントル台車１１は、第１の移動架台１３、セントル型枠１５、前方防風シート２１ａ、後方防風シート２１ｂ等で構成される。
【００２４】
セントル型枠１５は、移動架台１３に支持される。セントル型枠１５は、トンネル３の覆工コンクリート７の内周面に対応する形状である。セントル型枠１５は、覆工コンクリート７の打設および養生に用いられる。セントル型枠１５は、移動架台１３のジャッキ（図示せず）等により、型枠位置（養生位置）と脱型位置とに移動可能である。セントル型枠１５は、トンネル内空からトンネル内周面に向かう方向において外側に位置する型枠板より内側に、コンクリート養生の目的に応じて適当な断熱性を有する断熱層が形成される。断熱層により養生時の覆工コンクリート７の表面温度を高く保つとともにその温度変化を小さくし、ひび割れを確実に防いでコンクリートの品質を高めることが可能である。
【００２５】
図９は、セントル型枠１５の例を示す図である。図９の（ａ）〜（ｄ）図は、セントル型枠１５のトンネル周方向の断面図の一部を示す。図９に示すように、セントル型枠１５は、トンネル内周面に対応する形状の外側の型枠板４３と内側の内側板４４との間に、セントル前後方向の部材であるＨ型鋼４７が配置される。
【００２６】
断熱層は型枠板４３より内側に配置されるが、その態様は種々考えられる。
例えば、図９の（ａ）図に示す例では、型枠板４３とＨ型鋼４７のフランジとの間に、断熱材４５が設けられる。断熱材４５は、コンクリート養生の目的に応じて適当な断熱性を有するエアキャップ、発泡ウレタン等の部材であり、セントル型枠１５に断熱層を形成する。
図９の（ｂ）図に示す例では、Ｈ型鋼４７のフランジと内側板４４との間に、断熱材４５が設けられる。
図９の（ｃ）図に示す例では、型枠板４３と内側板４４との間で、隣接するＨ型鋼４７同士の間に、断熱材４５が設けられる。
この他、Ｈ型鋼４７のトンネル周方向の断面形状に沿って断熱材４５を配置するなどしてもよい。
【００２７】
また、上記の断熱層にかえて、型枠板４３より内側の部分を加熱してもよい。これによっても、養生時の覆工コンクリート７の表面温度を高く保つとともにその温度変化を小さくすることができ、断熱層を設けた場合と同様の効果が得られる。
図９の（ｄ）図は、型枠板４３の内側を加熱する例である。図９の（ｄ）図に示すセントル型枠１５ｄでは、型枠板４３と内側板４４との間に、セントル前後方向部材であるＨ型鋼４７ｄが配置される。Ｈ型鋼４７ｄは、ウェブに孔５３を有する。セントル型枠１５ｄ内の空間はＨ型鋼４７ｄの孔５３等により連通しており、覆工コンクリート７の養生時には外部のポンプ５５等から高温の気体等を送り込むことにより、セントル型枠１５ｄの内部が加熱される。セントル型枠１５ｄの内部等に温度測定器などを設けつつ、型枠内部の温度に応じて送り込む気体等の温度を変化させることにより、内部空間の温度制御を行うことが可能である。
【００２８】
図１によるセントル台車１１の説明に戻る。セントル型枠１５の後部には、第１のシートである後方防風シート２１ｂが設けられる。セントル型枠１５の前部には、第２のシートである前方防風シート２１ａが設けられる。
【００２９】
前方防風シート２１ａは、一方の端部が、セントル型枠１５の前部、例えばセントル型枠１５の前端部１７に取り付けられる。後方防風シート２１ｂは、一方の端部が、セントル型枠１５の後部、例えばセントル型枠１５の後端部１９に取り付けられる。前方防風シート２１ａ、後方防風シート２１ｂは、例えば折り畳み、引き伸ばし可能な蛇腹状など、伸縮可能に構成される、トンネル３やセントル型枠１５等の周方向の形状に応じたアーチ状のシート材である。伸縮を妨げない限りにおいて、シート材に適当な強度を与えるため、針金、ワイヤなどによる補強材を設けてもよい。また、前方防風シート２１ａ、後方防風シート２１ｂは、コンクリート養生の目的に応じて適当な断熱性、気密性を有する素材、構造を適宜用いることができる。
【００３０】
断熱養生台車２３は、第２の移動架台２５、養生パネル２７、断熱シート２９等で構成される。
【００３１】
養生パネル２７は、移動架台２５に支持される。養生パネル２７は、トンネル３の覆工コンクリート７の内周面に対応する形状である。養生パネル２７は覆工コンクリート７の養生に用いられ、このために適当な断熱性を有する。養生パネル２７は、移動架台２５のジャッキ２８により、養生位置と脱型位置とに移動可能である。
【００３２】
断熱シート２９は、養生パネル２７の後部に設けられた第３のシートであり、コンクリート養生の目的に応じて適当な断熱性、気密性を有する素材、構造が適宜用いられる。断熱シート２９は、一方の端部が、養生パネル２７の後部、例えば養生パネル２７の後端部３５に取り付けられる。
【００３３】
トンネル３は、地山１を掘削し、内周面に吹付コンクリート５を、底部にインバートコンクリート９を施工した後、覆工コンクリート７を区間毎に順次打設・養生して構築される。以下に、養生システム２を用いた、トンネル３の覆工コンクリート７の打設・養生方法について説明する。
【００３４】
図１は、トンネル３の長軸方向における区間ｎの覆工コンクリート７ｎの打設準備をする工程を示す。図１に示す工程では、セントル台車１１を区間ｎの内空に配置する。そして、区間ｎで覆工コンクリートを打設する位置に鉄筋を組み立てる。
【００３５】
図１に示す工程では、断熱養生台車２３は、トンネル３の長軸方向において区間ｎに対して掘削方向の後方（図において右側）に位置する区間ｎ−１に配置される。断熱養生台車２３は、養生パネル２７を養生位置にセットして、打設済の区間ｎ−１の覆工コンクリート７（ｎ−１）を断熱養生している。
【００３６】
次に、区間ｎにおいて覆工コンクリートを打設する。この際、セントル型枠１５を型枠位置にセットするため、セントル型枠１５をトンネル内空からトンネル内周面に向かう方向（図１に示す矢印Ｃ）に移動させる。
【００３７】
図２は、区間ｎの覆工コンクリート７ｎを打設する工程を示す図である。図２は、トンネル３の上半部のトンネル長軸方向の断面図を示す。図２に示す工程では、区間ｎの覆工コンクリート７ｎの打設位置の前端部の前方に妻部型枠３３を設置し、吹付コンクリート５とセントル型枠１５との間に覆工コンクリート７ｎを打設する。
【００３８】
図３は、セントル型枠１５により覆工コンクリート７ｎを養生する工程を示す図である。図３は、セントル型枠１５付近の拡大断面図である。図３に示す工程では、セントル型枠１５を型枠位置（養生位置）にセットした状態で覆工コンクリート７ｎを所定期間（例えば３日間）養生する。また、前方防風シート２１ａの（セントル型枠１５に取り付けられていない）他方の端部３７ａを覆工コンクリート７ｎの前端部４１に取り付け、後方防風シート２１ｂの（セントル型枠１５に取り付けられていない）他方の端部３７ｂを養生パネル２７の前端部３９に取り付ける。
【００３９】
次に、セントル台車１１を、トンネル３の長軸方向において区間ｎに対して掘削方向の前方（図において左側）に位置する区間ｎ＋１に移動する。セントル台車１１の移動の際には、まずセントル型枠１５を脱型する。この際、セントル型枠１５を脱型位置にセットするため、セントル型枠１５をトンネル内周面からトンネル内空に向かう方向（図３に示す矢印Ｄ）に移動させる。
【００４０】
図４は、セントル型枠１５の脱型を示す図である。図４の（ａ）図は、トンネル３の上半部のトンネル長軸方向の断面図、図４の（ｂ）図は、セントル型枠１５付近の拡大断面図である。伸縮可能に構成されるシート材である前方防風シート２１ａ、後方防風シート２１ｂは、端部３７ａ、端部３７ｂがそれぞれ覆工コンクリート７ｎの前端部４１、養生パネル２７の前端部３９に取り付けられているため、セントル型枠１５の脱型に伴い伸展する。即ち、前方防風シート２１ａは、区間ｎの前端部でトンネル３の内空をトンネル内周面（覆工コンクリート７ｎ）とセントル型枠１５との間で隔てる。図に示すように、セントル型枠１５の脱型時には、前方防風シート２１ａ、後方防風シート２１ｂ、セントル型枠１５を少なくとも用いて覆工コンクリート７ｎの表面（内周面）が囲まれ、覆工コンクリート７ｎが養生される。
【００４１】
次に、セントル台車１１をトンネル３の前方の区間ｎ＋１に向けて（図４の矢印Ｅで示す方向）移動させ、トンネル３の区間ｎ＋１の内空にセントル台車１１を配置する。
【００４２】
図５は、セントル台車１１の移動を示す図である。図５は、トンネル３の上半部のトンネル長軸方向の断面図である。セントル台車１１の移動時でも、伸縮可能に構成されるシート材である前方防風シート２１ａ、後方防風シート２１ｂは、セントル台車１１の移動に伴って伸展する。即ち、前方防風シート２１ａは、区間ｎの前端部またはその前方でトンネル３の内空をトンネル内周面（覆工コンクリート７ｎ）とセントル型枠１５との間で隔てる。図に示すように、セントル台車１１の移動時にも、前方防風シート２１ａ、後方防風シート２１ｂ、セントル型枠１５を少なくとも用いて覆工コンクリート７ｎの表面（内周面）を囲んで、覆工コンクリート７ｎを養生する。妻部型枠３３は、区間ｎ＋１で覆工コンクリートを打設するまでの、適切な時期に撤去する。
【００４３】
なお、図２から図５に示す工程において、区間ｎ−１の覆工コンクリート７（ｎ−１）は、図１に示す工程に引き続き、断熱養生台車２３の養生パネル２７により断熱養生される。
【００４４】
次に、断熱養生台車２３を区間ｎに移動する。断熱養生台車２３の移動の際には、まず養生パネル２７の脱型を行なう。この際、養生パネル２７を脱型位置にセットするため、養生パネル２７をトンネル内周面からトンネル内空に向かう方向（図５に示す矢印Ｆ）に移動させる。
【００４５】
図６は、養生パネル２７の脱型を示す図である。図６は、トンネル３の上半部のトンネル長軸方向の断面図である。養生パネル２７の脱型に際しては、断熱シート２９の（養生パネル２７に取り付けられない）他方の端部を区間ｎ−１の覆工コンクリート７（ｎ−１）の後端部あるいはその後方に密着させる、あるいは取り付ける。これにより、養生パネル２７の脱型時、断熱シート２９を用いて養生パネル２７と覆工コンクリート７との間を塞ぐ。このための断熱シート２９は既知のもの、例えば気体により膨張し覆工コンクリート７と密着するバルーンシートなどを用いることも可能であるし、前方防風シート２１ａのような伸縮可能なシート材の両端部を養生パネル２７と覆工コンクリート７に取り付けて用いるものであってもよい。図に示すように、養生パネル２７の脱型時には、前方防風シート２１ａ、後方防風シート２１ｂ、断熱シート２９、セントル型枠１５、養生パネル２７を少なくとも用いて区間ｎの覆工コンクリート７ｎの表面（内周面）が囲まれ、覆工コンクリート７ｎが養生される。なお、この際、さらに後方防風シート２１ｂを区間ｎの覆工コンクリート７ｎの前端部に取り付けるなどすれば、養生パネル２７の脱型時あるいは後述する断熱養生台車２５の区間ｎへの移動時において、後方防風シート２１ｂ、断熱シート２９、養生パネル２７を少なくとも用いて区間ｎの覆工コンクリート７ｎの表面（内周面）を囲み、覆工コンクリート７ｎを養生することも可能である。
【００４６】
次に、断熱養生台車２３を区間ｎに向けて（図６の矢印Ｇで示す方向）に移動させ、トンネル３の区間ｎの内空に断熱養生台車２３を配置する。
【００４７】
図７は、断熱養生台車２３の移動を示す図である。図７は、トンネル３の上半部のトンネル長軸方向の断面図である。断熱養生台車２３の移動時には、伸縮可能に構成されるシート材である後方防風シート２１ｂは、端部３７ｂが養生パネル２７の前端部３９に取り付けられているため、断熱養生台車２３の移動に伴って縮んでゆく。前述の断熱シート２９は、断熱養生台車２３の移動中も、覆工コンクリート７（ｎ−１）と養生パネル２７の間を塞いでいる。従って、断熱養生台車２３の移動時にも、前方防風シート２１ａ、後方防風シート２１ｂ、断熱シート２９、セントル型枠１５、養生パネル２７を少なくとも用いて区間ｎの覆工コンクリート７ｎの表面（内周面）が囲まれ、覆工コンクリート７ｎが養生される。
【００４８】
図４−７に示すセントル台車１１と断熱養生台車２３の移動の工程は例えば３時間程度で行なわれ、この間上記のように前方防風シート２１ａ、後方防風シート２１ｂ、セントル型枠１５を少なくとも用いて覆工コンクリート７ｎの表面を囲んで養生し、あるいは前方防風シート２１ａ、後方防風シート２１ｂ、断熱シート２９、セントル型枠１５、養生パネル２７を少なくとも用いて覆工コンクリート７ｎの表面を囲んで養生する。当該囲まれた空間はトンネル３内の他の空間と隔離され、温度の低いトンネル３内の空気が流入することがほぼ無く、養生状態が維持される。
【００４９】
トンネル３の区間ｎに断熱養生台車２３を配置した後、養生パネル２７をトンネル内空からトンネル内周面に向けて（図７の矢印Ｈで示す方向）移動させ、養生パネル２７を区間ｎの覆工コンクリート７ｎに対する養生位置にセットし、養生パネル２７により区間ｎの覆工コンクリート７ｎに対する養生を所定期間（例えばセントル台車１１と断熱養生台車２３の移動を含め４日間）行なう。
【００５０】
図８は、養生パネル２７により覆工コンクリート７ｎを養生する工程を示す図である。図８は、トンネル３の上半部のトンネル長軸方向の断面図である。図８に示す工程では、断熱シート２９の上記他方の端部を、区間ｎの覆工コンクリート７ｎの後端部あるいはその後方から取り外す。
【００５１】
図８に示す工程では、さらに、区間ｎ＋１での覆工コンクリート打設の準備として、前方防風シート２１ａの端部３７ａを覆工コンクリート７ｎの前端部４１から取り外し、後方防風シート２１ｂの端部３７ｂを養生パネル２７の前端部３９から取り外す。
【００５２】
図１から図８に示す各工程を繰り返すことにより、トンネル３の全長の覆工コンクリート７が打設・養生される。
【００５３】
図１０は、ある区間の覆工コンクリートのセントル型枠による養生開始後の経過時間と覆工コンクリートの表面温度およびひび割れ指数との関係を示す模式的な図である。図１０は、断熱材なしのセントル型枠のみで７日間覆工コンクリートの養生を行なった場合と、断熱層を有するセントル型枠１５を含む養生システム２を上記の方法で用いて７日間（セントル型枠１５による養生３日間＋セントル台車１１と断熱養生台車２３の移動時（３時間）の養生および養生パネル２７による養生４日間）覆工コンクリートの養生を行なった場合における、温度およびひび割れ指数の推移のシミュレーション結果を模式的に示す。
【００５４】
図１０の（ａ）図は、養生開始後の経過時間と温度との関係を示す。実線５７は、断熱材なしのセントル型枠を用いた場合の推移を、点線５９は、断熱層を有するセントル型枠１５を含む養生システム２を用いた場合の推移を模式的に示す。
図１０の（ｂ）図は、養生開始後の経過時間とひび割れ指数との関係を示す。ひび割れ指数については社団法人土木学会のコンクリート標準示方書等に示されており詳細な説明は省略するが、ひび割れ指数が大きいほどひび割れしにくいことを表す。実線６５は、断熱材なしのセントル型枠を用いた場合の推移を、点線６７は、断熱層を有するセントル型枠１５を含む養生システム２を用いた場合の推移を模式的に示す。
【００５５】
図１０の（ａ）図に示すように、養生中の覆工コンクリートの表面温度は断熱材なしのセントル型枠を用いた場合（実線５７）より、断熱層を有するセントル型枠１５を含む養生システム２を用いた場合（点線５９）の方が大きくなる。また、その温度変化は、断熱材なしのセントル型枠を用いた場合（実線５７）の温度変化６１より、断熱層を有するセントル型枠１５を含む養生システム２を用いた場合（点線５９）の温度変化６３の方が小さくなる。これは、養生システム２がセントル型枠１５に断熱層を有していること、およびセントル台車１１や断熱養生台車２３の移動時にもこの養生状態が維持されていることによる。
この温度の推移に伴い、図１０の（ｂ）図に示すように、ひび割れ指数は、断熱材なしのセントル型枠を用いた場合（実線６５）より、断熱層を有するセントル型枠１５を含む養生システム２を用いた場合（点線６７）の方が高く保たれ、ひび割れしにくい結果となる。養生時の覆工コンクリートの表面温度が高く保たれるとともに、その温度変化が小さいためである。
【００５６】
第１の実施の形態では、移動架台１３に支持されたセントル型枠１５、セントル型枠１５の前部に設けられた前方防風シート２１ａおよびセントル型枠１５の後部に設けられた後方防風シート２１ｂを有するセントル台車１１と、移動架台２５に支持された養生パネル２７、養生パネル２７の後部に設けられた断熱シート２９を有する断熱養生台車２３とを含む養生システム２を用いる。断熱層を設けたセントル型枠１５、および養生パネル２７により覆工コンクリート７の断熱養生を行なうとともに、セントル型枠１５を脱型し、区間ｎから前方の区間ｎ＋１にセントル台車１１を移動する際には、前方防風シート２１ａ、後方防風シート２１ｂ、セントル型枠１５を少なくとも用いて区間ｎの覆工コンクリート７ｎの表面が囲まれ、覆工コンクリート７ｎの養生が行なわれる。また、養生パネル２７を脱型し、区間ｎ−１から前方の区間ｎに断熱養生台車２３を移動する際には、前方防風シート２１ａ、後方防風シート２１ｂ、断熱シート２９、セントル型枠１５、養生パネル２７を少なくとも用いて区間ｎの覆工コンクリート７ｎの表面が囲まれ、覆工コンクリート７ｎの養生が行なわれる。
【００５７】
第１の実施の形態によれば、セントル台車１１や断熱養生台車２３の移動を行なう際に覆工コンクリート７が少なくとも前方防風シート２１ａ、後方防風シート２１ｂ、セントル型枠１５に囲まれ、あるいは、少なくとも前方防風シート２１ａ、後方防風シート２１ｂ、断熱シート２９、セントル型枠１５、養生パネル２７に囲まれる。当該囲まれた空間はトンネル３内の他の空間と隔離され、温度の低いトンネル３内の空気が流入することがほぼ無く、養生状態が維持される。セントル台車１１や断熱養生台車２３を移動しつつ上記のような養生状態を維持することができるので、トンネル３の工期を短縮することができる。
【００５８】
また、断熱層を有するセントル型枠１５を用いることにより、セントル型枠１５による養生時、さらにはセントル台車１１の移動時にも覆工コンクリート７の表面温度が高く保たれるとともに、温度変化が小さくひび割れしにくい条件で覆工コンクリート７を養生することができる。そのため、覆工コンクリート７のひび割れの発生をより確実に防止でき、覆工コンクリート７の品質を高めることができる。断熱層は必要に応じて設けられる。前述したように、断熱層にかえてセントル型枠１５の型枠板４３より内側を加熱してもよい。
【００５９】
なお、前方防風シート２１ａや後方防風シート２１ｂ、あるいは断熱シート２９は、セントル台車１１や断熱養生台車２３の移動時に区間ｎの覆工コンクリート７ｎを囲むことができるように設ければよく、この限りにおいてこれらの取り付け位置等は第１の実施の形態に示したものに限られることはない。但し、第１の実施形態のように取り付け、取り外し等を行なうことはその容易さの点で有利である。
【００６０】
例えば第１の実施の形態では、セントル台車１１と断熱養生台車２３とを含む養生システム２を用い、区間ｎから前方の区間ｎ＋１にセントル台車１１を移動する際に、後方防風シート２１ｂの端部３７ｂを養生パネル２７の前端部３９に取り付けたが、後方防風シート２１ｂの端部３７ｂを覆工コンクリート７ｎの後端部あるいはその後方の覆工コンクリート７に取り付けてもよい。
【００６１】
この場合にも、区間ｎから前方の区間ｎ＋１にセントル台車１１を移動する際に、前方防風シート２１ａ、後方防風シート２１ｂ、セントル型枠１５により区間ｎの覆工コンクリート７ｎの表面を囲んで覆工コンクリート７ｎの養生を行なうことができ、第１の実施の形態と同様にセントル台車１１の移動時にも養生状態が維持され、トンネル３の工期を短縮できる。この場合、断熱養生台車２３をセントル台車１１と独立に移動させることもできる。あるいは断熱養生台車２３を省略し、セントル台車１１のみで覆工コンクリート７の打設および養生を行うことも可能である。
また、セントル台車１１と、断熱養生台車２３以外の養生装置とを含む養生システムにより覆工コンクリート７の打設および養生を行うことも可能である。
【００６２】
次に、第２の実施の形態について説明する。図１１は、養生システム７７の概要を示す図である。図１１は、トンネル３の上半部のトンネル長軸方向の断面図である。
【００６３】
図１１に示すように、養生システム７７は、セントル台車１１ａ、シート台車６９、断熱養生台車２３を含む。セントル台車１１ａ、シート台車６９、断熱養生台車２３は、トンネル３の内空に設置され、トンネル３のインバートコンクリート上を走行する。なお、第１の実施形態で説明したものと略同様の機能構成を有する要素については明細書等で同じ番号を付し、その説明を一部省略する。
【００６４】
セントル台車１１ａは、第１の実施の形態のセントル台車１１とほぼ同様の構成であるが、前方防風シート２１ａおよび後方防風シート２１ｂ（図１等）が設けられない。代わりに、セントル台車１１ａでは、セントル型枠１５の後部に、第１のシートである後方防風シート７１ｂが設けられる。また、第４のシートである断熱シート７１ｃが、セントル型枠１５の前部（前端部）に設けられる。なお、第２のシートである前方防風シート７１ａは、区間ｎの前端部でトンネル３の内空をトンネル内周面（覆工コンクリート７ｎ）とセントル型枠１５との間で隔てている。
【００６５】
前方防風シート７１ａは、例えば、一方の端部が、区間ｎの前端部でトンネル３（覆工コンクリート７ｎ）の内周に沿って設置され、気体により膨張しセントル型枠１５と密着するバルーンシートなどを用いることができる。
後方防風シート７１ｂは、一方の端部が、セントル型枠１５の後部、例えばセントル型枠１５の後端部１９に取り付けられる。後方防風シート７１ｂは、後述するシート台車６９で支持され、トンネル長軸方向に伸縮可能に構成される。
断熱シート７１ｃは、断熱シート２９と同様、例えば気体により膨張し覆工コンクリートと密着するバルーンシートなどを用いることも可能であるし、伸縮可能なシート材の両端部を養生パネル２７と覆工コンクリート７あるいはその前方の吹き付けコンクリート５に取り付けて用いるものであってもよい。
また、前方防風シート７１ａ、後方防風シート７１ｂ、断熱シート７１ｃは、コンクリート養生の目的に応じて適当な断熱性、気密性を有する素材、構造を適宜用いることができる。
【００６６】
図１２は、シート台車６９を伸展した状態を示す図である。図１２は、トンネル３の上半部のトンネル長軸方向の断面図である。図１１、図１２に示すように、シート台車６９は、セントル台車１１の後方に配置される。
【００６７】
シート台車６９は、複数の支持架台７９、伸縮部８１等で構成される。支持架台７９は、トンネル３の覆工コンクリート７の内周面に対応する形状である。複数の支持架台７９は、トンネル長軸方向に並べて配置される。セントル型枠１５の後部に設けられた後方防風シート７１ｂは、後部が断熱養生台車２３の養生パネル２７に取り付けられるとともに、内側面７３が複数の支持架台７９によって支持される。支持架台７９に対応する位置では、後方防風シート７１ｂがトンネル３の内周面（覆工コンクリート７）に接する。トンネル長軸方向に隣り合う支持架台７９は伸縮部８１で連結される。シート台車６９は、伸縮部８１によって支持架台７９同士の間隔を調整することにより、トンネル長軸方向に伸縮可能である。
【００６８】
断熱養生台車２３は、シート台車６９の後方に配置される。断熱養生台車２３は、第１の実施の形態と同様の構成である。
【００６９】
上述したように、トンネル３は、地山１を掘削し、内周面に吹付コンクリート５を、底部にインバートコンクリートを施工した後、覆工コンクリート７を区間毎に順次打設・養生して構築される。以下に、養生システム７７を用いた、トンネル３の覆工コンクリート７の打設・養生方法について説明する。
【００７０】
区間ｎの覆工コンクリート７ｎを打設する際には、第１の実施形態と同様、図１、あるいは図１１に示すように、セントル台車１１ａを区間ｎの内空に配置する。そして、区間ｎで覆工コンクリートを打設する位置に鉄筋を組み立てる。図１１では、シート台車６９および断熱養生台車２３は、トンネル３の長軸方向において区間ｎに対して掘削方向の後方（図において右側）に位置する区間ｎ−１に配置されており、後方防風シート７１ｂと養生パネル２７による区間ｎ−１の覆工コンクリート７（ｎ−１）の断熱養生が行なわれている。
【００７１】
次に、第１の実施形態と同様、セントル型枠１５を型枠位置にセットし、区間ｎの覆工コンクリート７ｎの打設位置の前端部の前方に妻部型枠３３を設置し、吹付コンクリート５とセントル型枠１５との間に覆工コンクリート７ｎを打設する。そして、セントル型枠１５を型枠位置（養生位置）にセットした状態で覆工コンクリート７ｎを所定期間（例えば３日間）養生した後、セントル型枠１５をトンネル内周面からトンネル内空に向かう方向（図１１に示す矢印Ｉ）に移動させる。この状態が図１１である。後方防風シート７１ｂは、セントル型枠１５の脱型に伴い伸展する。また、前方防風シート７１ａが、区間ｎの前端部でトンネル３の内空をトンネル内周面（覆工コンクリート７ｎ）とセントル型枠１５との間で隔てる。なお、図１１では断熱シート７１ｃも区間ｎの前端部またはその前方でトンネル３の内空をトンネル内周面とセントル型枠１５との間で隔てるように配置されている。
【００７２】
図１１に示すように、セントル型枠１５の脱型時には、前方防風シート７１ａ、後方防風シート７１ｂ、セントル型枠１５を少なくとも用いて覆工コンクリート７ｎの表面（内周面）が囲まれ、密封空間７５で覆工コンクリート７ｎが養生される。
【００７３】
図１２は、シート台車６９を伸展しつつセントル台車１１ａを移動させる工程を示す。図１２に示す工程では、セントル台車１１ａをトンネル３の前方の区間ｎ＋１に向けて（図１２の矢印Ｊで示す方向）移動させる。また、セントル台車１１ａの移動に伴い、シート台車６９をトンネル長軸方向に伸展させる。後方防風シート７１ｂは、シート台車６９の伸展に伴って、支持架台７９に支持された状態でトンネル長軸方向に伸展する。シート台車６９の前端部は区間ｎの前端部に達し、このとき後方防風シート７１ｂが区間ｎの前端部でトンネル３の内空（覆工コンクリート７ｎ）に接する。なお、前方防風シート７１ａはそのまま、区間ｎの前端部でトンネル３の内空をトンネル内周面とセントル型枠１５との間で隔てている。
【００７４】
図１２に示すように、セントル台車１１ａの移動時にも、前方防風シート７１ａ、後方防風シート７１ｂ、セントル型枠１５を少なくとも用いて覆工コンクリート７ｎの表面（内周面）を囲んで、密封空間７５で区間ｎの覆工コンクリート７ｎを養生する。覆工コンクリート７ｎの打設に用いた妻部型枠３３は、区間ｎ＋１で覆工コンクリートを打設するまでの適切な時期に撤去する。前方防風シート７１ａも、区間ｎ＋１で覆工コンクリートを打設するまでの適当な時期に撤去する。図１２では、区間ｎ−１の覆工コンクリート７（ｎ−１）が、後方防風シート７１ｂおよび断熱養生台車２３の養生パネル２７により断熱養生されている。なお、上記の前方防風シート７１ａは区間ｎの前方に配置されていてもよく、この場合は、区間ｎの前端部の前方でトンネル３の内空をトンネル内周面（吹き付けコンクリート５）とセントル型枠１５との間で隔てることになる。
【００７５】
図１３は、セントル台車１１ａを区間ｎ＋１まで移動させた後、断熱養生台車２３を区間ｎに移動する工程を示す図である。図１３は、トンネル３の上半部のトンネル長軸方向の断面図である。図１３に示す工程では、まず養生パネル２７の脱型を行なう。この際、養生パネル２７を脱型位置にセットするため、養生パネル２７をトンネル内周面からトンネル内空に向かう方向（図１３に示す矢印Ｍ）に移動させる。
【００７６】
養生パネル２７の脱型に際しては、断熱シート２９の（養生パネル２７に取り付けられない）他方の端部を区間ｎ−１の覆工コンクリート７（ｎ−１）の後端部あるいはその後方に密着させる、あるいは取り付ける。これにより、養生パネル２７の脱型時、断熱シート２９を用いて養生パネル２７と覆工コンクリート７との間を塞ぐ。図に示すように、養生パネル２７の脱型時には、後方防風シート７１ｂを少なくとも用いて区間ｎの覆工コンクリート７ｎの表面（内周面）が囲まれ、覆工コンクリート７ｎが養生される。
【００７７】
次に、断熱養生台車２３を区間ｎに向けて（図１３の矢印Ｌで示す方向）に移動させ、トンネル３の区間ｎの内空に断熱養生台車２３を配置する。また、断熱養生台車２３の移動に伴い、シート台車６９は矢印Ｌで示す方向に縮まる。支持架台７９に支持された後方防風シート７１ｂは、シート台車６９の縮みに伴って縮んでゆき、その後部が区間ｎの後端部より前方に至るが、前述の断熱シート２９は、断熱養生台車２３の移動中、覆工コンクリート７（ｎ−１）と養生パネル２７の間を塞いでいる。従って、断熱養生台車２３の移動時には、後方防風シート７１ｂ、断熱シート２９、養生パネル２７を少なくとも用いて区間ｎの覆工コンクリート７ｎの表面（内周面）が囲まれ、覆工コンクリート７ｎが養生される。
【００７８】
トンネル３の区間ｎに断熱養生台車２３を配置した後、図７と同様、養生パネル２７をトンネル内空からトンネル内周面に向けて移動させ、養生パネル２７を区間ｎの覆工コンクリート７ｎに対する養生位置にセットし、養生パネル２７と後方防風シート７１ｂにより区間ｎの覆工コンクリート７ｎに対する養生を所定期間行なう。
【００７９】
上述した工程を繰り返すことにより、トンネル３の全長の覆工コンクリート７が打設・養生される。
【００８０】
第２の実施の形態では、移動架台１３に支持されたセントル型枠１５、セントル型枠１５の後部に設けられた後方防風シート７１ｂを有するセントル台車１１ａと、移動架台２５に支持された養生パネル２７、養生パネル２７の後部に設けられた断熱シート２９を有する断熱養生台車２３と、後方防風シート７１ｂを支持するシート台車６９等を含む養生システム７７を用いる。断熱層を設けたセントル型枠１５、および養生パネル２７等により覆工コンクリート７の断熱養生を行なうとともに、セントル型枠１５を脱型し、区間ｎから前方の区間ｎ＋１にセントル台車１１ａを移動する際には、トンネル３の内空に設けられた前方防風シート７１ａ、後方防風シート７１ｂ、セントル型枠１５を少なくとも用いて区間ｎの覆工コンクリート７ｎの表面が囲まれ、覆工コンクリート７ｎの養生が行なわれる。また、養生パネル２７を脱型し、区間ｎ−１から前方の区間ｎに断熱養生台車２３を移動する際には、後方防風シート７１ｂ、断熱シート２９、養生パネル２７を少なくとも用いて区間ｎの覆工コンクリート７ｎの表面が囲まれ、覆工コンクリート７ｎの養生が行なわれる。
【００８１】
第２の実施の形態によれば、セントル台車１１ａの移動を行なう際に区間ｎの覆工コンクリート７ｎが少なくとも前方防風シート７１ａ、後方防風シート７１ｂ、セントル型枠１５に囲まれ、断熱養生台車２３の移動を行う際には、少なくとも後方防風シート７１ｂ、断熱シート２９、養生パネル２７に囲まれる。当該囲まれた空間はトンネル３内の他の空間と隔離され、温度の低いトンネル３内の空気が流入することがほぼ無く、養生状態が維持される。セントル台車１１ａや断熱養生台車２３を移動しつつ上記のような養生状態を維持することができるので、トンネル３の工期を短縮することができる。
【００８２】
また、第１の実施の形態と同様に、断熱層を有するセントル型枠１５等を必要に応じて用いることにより、セントル型枠１５による養生時、さらにはセントル台車１１ａの移動時にも覆工コンクリート７の表面温度が高く保たれるとともに、温度変化が小さくひび割れしにくい条件で覆工コンクリート７を養生することができる。そのため、覆工コンクリート７のひび割れの発生をより確実に防止でき、覆工コンクリート７の品質を高めることができる。
さらに、シート台車６９を用いることで、セントル台車１１ａ、または断熱養生台車２３の移動時の後方防風シート７１ｂの伸縮がスムーズになる。
【００８３】
以上、添付図面を参照しながら本発明にかかる覆工コンクリートの養生方法等の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００８４】
２………養生システム
３………トンネル
５………吹付コンクリート
７………覆工コンクリート
１１………セントル台車
１３、２５………移動架台
１５、１５ｄ………セントル型枠
１７、３９、４１………前端部
１９、３５………後端部
２１ａ、７１ａ………前方防風シート
２１ｂ、７１ｂ………後方防風シート
２３………断熱養生台車
２７………養生パネル
２９、７１ｃ………断熱シート
３７ａ、３７ｂ………端部
４５………断熱材
６９………シート台車
【図１】
0005683995.tif 000002
【図２】
0005683995.tif 000003
【図３】
0005683995.tif 000004
【図４】
0005683995.tif 000005
【図５】
0005683995.tif 000006
【図６】
0005683995.tif 000007
【図７】
0005683995.tif 000008
【図８】
0005683995.tif 000009
【図９】
0005683995.tif 000010
【図１０】
0005683995.tif 000011
【図１１】
0005683995.tif 000012
【図１２】
0005683995.tif 000013
【図１３】
0005683995.tif 000014